(57)【要約】【課題】内容物に対する購買意欲を向上できるとともに製造コストを削減できる紙箱を提供することを目的とする。【解決手段】対向する正面板１１と背面板１２とを有して内容物を収納する紙箱１において、正面板１１が孔部１１ｂを開口するとともに、絵を含む図柄から成る外面図柄部１１ａを外面に有し、背面板１２の内面に外面図柄部１１ａにより表される図柄の一部を形成する内面図柄部１０ｃが孔部１１ｂに対向して設けられる。【選択図】図９
2015048106.tif 000002
【特許請求の範囲】
【請求項１】
対向する正面板と背面板とを有して内容物を収納する紙箱において、
前記正面板が孔部を開口するとともに、絵を含む図柄から成る外面図柄部を外面に有し、
前記背面板の内面に前記外面図柄部により表される図柄の一部を形成する内面図柄部が前記孔部に対向して設けられることを特徴とする紙箱。
【請求項２】
前記孔部の内縁の最大距離が前記正面板と前記背面板との距離よりも大きいことを特徴とする請求項１に記載の紙箱。
【請求項３】
前記外面図柄部がグラビア印刷またはオフセット印刷により形成されるとともに、前記内面図柄部がインクジェットにより形成されることを特徴とする請求項１または請求項２に記載の紙箱。
【請求項４】
前記孔部が前記外面図柄部により表される動物の目の輪郭を形成し、前記内面図柄部が該動物の目玉を表すことを特徴とする請求項１〜請求項３のいずれかに記載の紙箱。
【請求項５】
内容物を密封する積層フィルムから成る包装袋を収納し、前記包装袋の外面に前記外面図柄部により表される図柄の一部を形成して前記内面図柄部と異なる中間図柄部が前記孔部に対向して設けられることを特徴とする請求項１〜請求項４のいずれかに記載の紙箱。
【請求項６】
前記正面板に設けた環状のミシン目を有し、前記孔部が前記ミシン目に沿って前記正面板を切り取って形成されることを特徴とする請求項１〜請求項５のいずれかに記載の紙箱。
【発明の詳細な説明】
【技術分野】
【０００１】
本発明は、内容物を収納する紙箱に関する。
【背景技術】
【０００２】
従来の紙箱は特許文献１に開示されている。この紙箱は収容体と外装体とを有する。収容体は略直方体形状を有し、内容物を収容する。外装体は略直方体形状を有し、一側面が開口している。収容体は開口を介して外装体にスライドして挿入される。これにより、収容体は外装体に収納されて保持される。
【０００３】
外装体の上面には開口部が開口し、開口部はフィルムゲージによって塞がれている。フィルムゲージは透明な基板上に黒色の細長い帯状領域が複数印刷されている。帯状領域は収容体のスライド方向に等間隔で並設され、隣接する帯状領域間に透明な窓部が形成される。
【０００４】
また、収容体の上面には下絵が設けられている。下絵はフィルムゲージに対して収容体を所定位置に配置した際に窓部を介して視認される第１の図柄と、帯状領域によって覆われる第２の図柄とを有している。このため、収容体をスライドさせると収容体の位置に応じて第１の図柄と第２の図柄とが窓部から交互に視認される。これにより、使用者に対して視覚的な変化を与えて、使用者の好奇心を刺激し、紙箱の内容物に対する購買意欲を高めることができる。
【先行技術文献】
【特許文献】
【０００５】
【特許文献１】特開２０１０−１３１２１号公報（第４頁、第５頁、第５図〜第７図）
【発明の概要】
【発明が解決しようとする課題】
【０００６】
しかしながら、上記従来の紙箱によると、帯状領域を印刷した高価なフィルムゲージを用いるため、紙箱の製造コストが増大する問題があった。
【０００７】
本発明は、内容物に対する購買意欲を向上できるとともに製造コストを削減できる紙箱を提供することを目的とする。
【課題を解決するための手段】
【０００８】
上記目的を達成するために本発明は、対向する正面板と背面板とを有して内容物を収納する紙箱において、前記正面板が孔部を開口するとともに、絵を含む図柄から成る外面図柄部を外面に有し、前記背面板の内面に前記外面図柄部により表される図柄の一部を形成する内面図柄部が前記孔部に対向して設けられることを特徴としている。
【０００９】
この構成によると、正面板と背面板との間に内容物が収納される。そして、紙箱を開封して内容物を取り出した後に使用者が正面板を見ると、外面図柄部とともに孔部を介して内面図柄部を視認することができる。これにより、内面図柄部と外面図柄部とが関連付けられて一の外観や観念を形成する図柄を視認することができる。
【００１０】
また本発明は、上記構成の紙箱において、前記孔部の内縁の最大距離が前記正面板と前記背面板との距離よりも大きいと好ましい。この構成によると、例えば正面板を使用者の顔面に対して平行な状態から傾倒させると、内面図柄部が外面図柄部に対して大きく移動しているように見える。
【００１１】
また本発明は、上記構成の紙箱において、前記外面図柄部がグラビア印刷またはオフセット印刷により形成されるとともに、前記内面図柄部がインクジェットにより形成されると好ましい。
【００１２】
また本発明は、上記構成の紙箱において、前記孔部が前記外面図柄部により表される動物の目の輪郭を形成し、前記内面図柄部が該動物の目玉を表すと好ましい。この構成によると、例えば正面板を使用者の顔面に対して平行な状態から傾倒させると、動物の目玉が移動しているように見える。
【００１３】
また本発明は、上記構成の紙箱において、内容物を密封する積層フィルムから成る包装袋を収納し、前記包装袋の外面に前記外面図柄部により表される図柄の一部を形成して前記内面図柄部と異なる中間図柄部が前記孔部に対向して設けられると好ましい。
【００１４】
この構成によると、使用者は外面図柄部とともに孔部を介して中間図柄部を視認することができる。これにより、中間図柄部と外面図柄部とが関連付けられて一の外観や観念を形成する図柄を視認することができる。
【００１５】
また本発明は、上記構成の紙箱において、前記正面板に設けた環状のミシン目を有し、前記孔部が前記ミシン目に沿って前記正面板を切り取って形成されると好ましい。この構成によると、ミシン目に沿って正面板を切り取ると、使用者は外面図柄部とともに孔部を介して内面図柄部や中間図柄部を視認することができる。
【発明の効果】
【００１６】
本発明によると、正面板が孔部を開口するとともに、絵を含む図柄から成る外面図柄部を外面に有し、背面板の内面に外面図柄部により表される図柄の一部を形成する内面図柄部が孔部に対向して設けられる。これにより、安価な構成で使用者に対して視覚的な変化を与えて、使用者の好奇心を刺激することができる。したがって、内容物に対する購買意欲を向上できるとともに紙箱の製造コストを削減することができる。
【図面の簡単な説明】
【００１７】
【図１】本発明の第１実施形態の紙箱の開封前の状態を示す正面斜視図
【図２】本発明の第１実施形態の紙箱の開封前の状態を示す背面斜視図
【図３】本発明の第１実施形態の紙箱の展開図
【図４】本発明の第１実施形態の紙箱の第１蓋部を開いて開封した状態を示す背面斜視図
【図５】本発明の第１実施形態の紙箱の第１蓋部及び第２蓋部を開いた状態を示す背面斜視図
【図６】本発明の第１実施形態の紙箱の内容物を取り出した後の状態を示す正面図
【図７】本発明の第１実施形態の紙箱の正面板を図６の状態から右側面板側の端部が手前になるように傾斜させた状態を示す正面斜視図
【図８】本発明の第１実施形態の紙箱の正面板を図６の状態から左側面板側の端部が手前になるように傾斜させた状態を示す正面斜視図
【図９】本発明の第１実施形態の紙箱の正面板を図６の状態から第１蓋部側の端部が手前になるように傾斜させた状態を示す正面斜視図
【図１０】本発明の第１実施形態の紙箱の正面板を図６の状態から第２蓋部側の端部が手前になるように傾斜させた状態を示す正面斜視図
【図１１】図６のＡ−Ａ断面図
【図１２】本発明の第２実施形態の紙箱の正面図
【発明を実施するための形態】
【００１８】
＜第１実施形態＞
以下に本発明の実施形態を図面を参照して説明する。図１及び図２は第１実施形態の紙箱のそれぞれ正面斜視図及び背面斜視図を示している。なお、図１及び図２は開封前の紙箱１を示している。紙箱１は直方体形状を有し、筒状の胴部１０、第１蓋部２１及び第２蓋部２２を備えて包装袋７０（図４参照）を収納している。胴部１０は軸方向の上端及び下端にそれぞれ上部開口面１０ａ（図４、図５参照）及び下部開口面１０ｂ（図５参照）を有する。第１蓋部２１は上部開口面１０ａを閉じるとともに、第２蓋部２２は下部開口面１０ｂを閉じる。
【００１９】
胴部１０は対向する正面板１１及び背面板１２を両側方の右側面板１３及び左側面板１４により連結して形成される。これにより、胴部１０は軸方向に垂直な断面が矩形に形成される。
【００２０】
正面板１１と右側面板１３との間及び背面板１２と左側面板１４との間には、胴部１０の軸方向に延びる第１折罫５１が設けられる。これにより、一対の第１折罫５１は胴部１０の中心軸を挟んで互いに対向する。また、正面板１１と左側面板１４との間及び背面板１２と右側面板１３との間には、胴部１０の軸方向に延びる第２折罫５２が設けられる。これにより、一対の第２折罫５２は胴部１０の中心軸を挟んで互いに対向する。
【００２１】
正面板１１の左部には２つの環状のミシン目１１ｃが上下に並設される。ミシン目１１ｃに沿って正面板１１を切り取ることによって円形の孔部１１ｂ（図６参照）が形成される。孔部１１ｂが形成される領域１１ｄの周囲には、動物（クマ）の一部の絵により形成される図柄から成る外面図柄部１１ａが設けられる。
【００２２】
外面図柄部１１ａは例えばグラビア印刷法やオフセット印刷法により形成される。本実施形態において、外面図柄部１１ａは目玉の絵が描画されていないクマの顔面の絵により形成される図柄から成っているが、これに限定されない。例えば、外面図柄部１１ａは絵と文字列とを含む図柄から成ってもよい。また、外面図柄部１１ａは乗り物や風景の絵により形成される図柄から成ってもよい。
【００２３】
図３は紙箱１の展開図を示している。なお、図３では組立後の紙箱１の内面になる部分を表にして展開している。紙箱１を形成するブランクシート１ａは紙製のシートを打ち抜いて形成される。ブランクシート１ａの材質に特に限定はないが、例えばマニラボール、ボール紙、カード紙、クラフトボール等の板紙を用いることができる。
【００２４】
第１蓋部２１は正面板１１の上端に連設される上部フラップ１１１及び背面板１２の上部に設けられる上部開封片１２ａにより形成される。上部フラップ１１１は上部開口面１０ａを覆う天面部１１１ａと背面板１２を覆う背面部１１１ｂとを有している。背面部１１１ｂの下端の中央には上方に向かって凹む湾曲部１１１ｃが設けられる。
【００２５】
上部開封片１２ａは破り取り部１２ｂと上面部１２ｃとから成る。破り取り部１２ｂ及び上面部１２ｃは折罫１２ｇを介して連設されている。破り取り部１２ｂはミシン目１２ｄで区画され、背面板１２の一部を形成している。また、破り取り部１２ｂは後述の押圧領域１２ｅを除いて第１蓋部２１の背面部１１１ｂに覆われている。ミシン目１２ｄに沿って切り取ることにより破り取り部１２ｂは背面板１２から分離する。
【００２６】
押圧領域１２ｅは破り取り部１２ｂの下端部に形成され、第１蓋部２１の背面部１１１ｂに覆われておらず露出している。押圧領域１２ｅの上部には折罫１２ｆが設けられている。
【００２７】
破り取り部１２ｂの外面は接着剤等を介して背面部１１１ｂの内面に接着している。また、上面部１２ｃの外面は接着剤等を介して天面部１１１ａの内面に接着している。これにより、上部フラップ１１１を開けると上部開封片１２ａは背面板１２から分離する。
【００２８】
第２蓋部２２は下部フラップ１１２と下部開封片１２１とから成る。下部フラップ１１２は正面板１１の下端に連設されている。下部開封片１２１の後端には背面板１２の下部に形成される半月状の舌状部分１２１ｂが折罫１２１ｃを介して連設される。舌状部分１２１ｂを除く下部開封片１２１の後端はミシン目２２ａを介して背面板１２の下端に連結され、舌状部分１２１ｂはミシン２２ａに連続するミシン目１２１ａによって背面板１２に連結される。下部開封片１２１は接着剤を介して下部フラップ１１２に接着される。これにより、第２蓋部２２は下部開口面１０ｂを閉じる。
【００２９】
舌状部分１２１ｂを紙箱１の内側へ押圧することにより、舌状部分１２１ｂはミシン目１２１ａに沿って切り取られて背面板１２から分離する。
【００３０】
正面板１１には折罫５１及び折罫５２を介してそれぞれ右側面板１３及び左側面板１４が連設される。正面板１１の上端及び下端にはそれぞれ天面部１１１ａ及び下部フラップ１１２が連設される。天面部１１１ａの上端には背面部１１１ｂが連設される。
【００３１】
左側面板１４及び右側面板１３の上端にはそれぞれ左上方フラップ１４ｂ及び右上方フラップ１３ｂが連設される。また、左側面板１４及び右側面板１３の下端にはそれぞれ左下方フラップ１４ｃ及び右下方フラップ１３ｃが連設される。
【００３２】
左側面板１４には折罫５１を介して背面板１２が連設される。背面板１２の上端、右端及び下端にはそれぞれ上面部１２ｃ、糊代フラップ１２５及び下部開封片１２１が連設される。
【００３３】
背面板１２の内面には、内面図柄部１０ｃが形成されている。内面図柄部１０ｃは孔部１１ｂ（図６参照）に対向する領域に形成されている。本実施形態において、内面図柄部１０ｃは、外面図柄部１１ａの動物（クマ）の目玉の絵から成る。内面図柄部１０ｃは黒目部分１０１ｃと白目部分１０２ｃとから成る。
【００３４】
黒目部分１０１ｃは例えばインクジェット法により黒色インクで描画される。これにより、異なる紙箱１に対して多様な黒目の絵を容易に形成することができる。すなわち、紙箱毎に異なる様々な表情のクマの顔面の絵を容易に形成することができる。なお、黒目部分１０１ｃをグラビア印刷やオフセット印刷により形成してもよい。
【００３５】
背面板１２の内面において、黒目部分１０１ｃ以外の領域は灰色の無地になっている。この時、白目部分１０２ｃも灰色の無地になっているが、白目部分１０２ｃを白色の無地にしてもよい。
【００３６】
なお、背面板１２の内面において、内面図柄部１０ｃ以外の領域に例えば花模様や市松模様などの図柄を設けてよい。
【００３７】
次に、紙箱１の組み立て方法について説明する。図３のブランクシート１ａにおいて、右側面板１３及び左側面板１４をそれぞれ折罫５１及び折罫５２で正面板１１の内面側に向けて略９０度折り曲げる。この時、右下方フラップ１３ｃ及び左下方フラップ１４ｃをそれぞれ右側面板１３及び左側面板１４の内面側に向けて略９０度折り曲げる。
【００３８】
そして、背面板１２を折罫５１で左側面板１４の内面側に向けて略９０度折り曲げるとともに、糊代フラップ１２５を背面板１２の内面側に向けて略９０度折り曲げる。下部フラップ１１２及び下部開封片１２１をそれぞれ正面板１１の内面及び背面板１２の内面に向けて略９０度折り曲げる。そして、下部フラップ１１２の外面と下部開封片１２１の内面とを接着剤等により接着させる。これにより、下部開封片１２１は下部開口面１０ｂを閉じる。
【００３９】
その後に、上部開口面１０ａを介して包装袋７０（図４参照）を胴部１０内に収納する。そして、右上方フラップ１３ｂ及び左上方フラップ１４ｂをそれぞれ右側面板１３及び左側面板１４の内面側に向けて略９０度折り曲げるとともに、上面部１２ｃの外面と天面部１１１ａの内面とを接着剤等により貼り合わせる。また、背面部１１１ｂの内面と破り取り部１２ｂの外面とを接着剤等により接着させる。これにより、第１蓋部２１は上部開口面１０ａを閉じ、包装袋７０を収納した紙箱１が組み立てられる。
【００４０】
図４は第１蓋部２１を開いて紙箱１を開封した状態を示す背面斜視図である。上記構成の紙箱１において、使用者が親指で押圧領域１２ｅ（図２参照）を紙箱１の内側へ押圧すると、押圧領域１２ｅはミシン目１２ｄ（図２参照）で背面板１２から分離するとともに折罫１２ｆ（図２参照）で折れ曲がり、紙箱１の内側へ向かって突出する。そして、親指と人差し指で上部開封片１２ａ及び上部フラップ１１１を同時に摘持して上方へ引っ張ると、上部開封片１２ａがミシン目１２ｄで背面板１２から分離する。
【００４１】
これにより、第１蓋部２１を開いて紙箱１を開封することができる。したがって、使用者は上部開口面１０ａを介して包装袋７０を紙箱１から取り出すことができる。なお、この時、背面板１２において破り取り部１２ｂが存在した領域には切欠き１２２ａが形成される。これにより、使用者は包装袋７０を紙箱１から一層容易に取り出すことができる。
【００４２】
包装袋７０は例えば菓子類を密封する積層フィルムから成る。積層フィルムに特に限定はないが、例えばアルミニウムを蒸着したＰＥＴ等の基材層にＰＥ等の熱接着層を積層した積層フィルム等を用いることができる。
【００４３】
この時、上部フラップ１１１及び上部開封片１２ａは一体に破り開けられる。これにより、上部開封片１２ａを背面板１２から確実に除去して、切欠き１２２ａを確実に形成することができる。
【００４４】
また、上部フラップ１１１の湾曲部１１１ｃ（図２参照）は上方へ向かって凹む湾曲形状になっている。これにより、押圧領域１２ｅを親指で押圧する際に親指に痛み等を与えることがない。
【００４５】
図５は紙箱１の第１蓋部２１及び第２蓋部２２を開いた状態を示す背面斜視図である。なお、包装袋７０は上部開口面１０ａを介して紙箱１から既に取り出されている。舌状部分１２１ｂを使用者の親指等で紙箱１の内側へ押圧すると、舌状部分１２１ｂはミシン目１２１ａで背面板１２から分離する。そして、親指と人差し指で下部開封片１２１及び下部フラップ１１２を摘持して下方へ引っ張ると、下部開封片１２１がミシン目２２ａで背面板１２から分離する。
【００４６】
これにより、第１蓋部２１及び第２蓋部２２が開いて胴部１０の上部開口面１０ａ及び下部開口面１０ｂが開放される。したがって、使用者は胴部１０を第１折罫５１または第２折罫５２で折り曲げて扁平に押し潰すことができる。その結果、紙箱１の減容化を図ってゴミ容量を削減することができる。
【００４７】
図６は包装袋７０を取り出した後の紙箱１を示す正面図である。図６において、胴部１０は未だ扁平には押し潰されておらず、第１蓋部２１は閉じている。また、右側面板１３が上方になるように正面板１１を垂直にしている。なお、図６において、使用者は目と同じ高さで孔部１１ｂを見ている。これにより、図６において、正面板１１と使用者の顔面とは略平行になっている。正面板１１のミシン目１１ｃ（図１参照）に沿って領域１１ｄ（図１参照）を正面板１１から切り取ると、孔部１１ｂが形成される。この時、孔部１１ｂは内面図柄部１０ｃに対向する。
【００４８】
これにより、孔部１１ｂが外面図柄部１１ａにより表される動物の目の輪郭を形成し、外面図柄部１１ａと内面図柄部１０ｃとによって動物の顔面の図柄が完成する。すなわち、外面図柄部１１ａと内面図柄部１０ｃとが関連付けられて一の外観や観念を形成する図柄（動物の顔面の図柄）が完成する。なお、この時、黒目部分１０１ｃは孔部１１ｂの中央に存在しているように見える。このため、動物の絵が使用者をまっすぐ見ているように見える。
【００４９】
図７〜図１０は、包装袋７０を取り出した後の紙箱１の正面斜視図である。なお、図７〜図１０では、図６の状態から正面板１１を使用者の顔面に対して傾斜させている。また、図７〜図１０では傾斜方向がそれぞれ異なっている。
【００５０】
図７では、正面板１１及び背面板１２は右側面板１３側の端部へ行くほど使用者の顔面に近づくように傾斜している。この時、内面図柄部１０ｃの黒目部分１０１ｃ、孔部１１ｂの上端部及び使用者の目は略一直線上に並ぶ。これにより、図６の状態から図７の状態に正面板１１を傾けると、内面図柄部１０ｃの黒目部分１０１ｃは孔部１１ｂの上端部に近づくように見える。すなわち、動物の絵が前方から上方を見るように変化しているように見える。
【００５１】
図８では、正面板１１及び背面板１２は左側面板１４側の端部へ行くほど使用者の顔面に近づくように傾斜している。この時、内面図柄部１０ｃの黒目部分１０１ｃ、孔部１１ｂの下端部及び使用者の目は略一直線上に並ぶ。これにより、図６の状態から図８の状態に正面板１１を傾けると、内面図柄部１０ｃの黒目部分１０１ｃは孔部１１ｂの下端部に近づくように見える。すなわち、動物の絵が前方から下方を見るように変化しているように見える。
【００５２】
図９では、正面板１１及び背面板１２は第１蓋部２１側の端部へ行くほど使用者の顔面に近づくように傾斜している。この時、内面図柄部１０ｃの黒目部分１０１ｃ、孔部１１ｂの左端部及び使用者の目は略一直線上に並ぶ。これにより、図６の状態から図９の状態に正面板１１を傾けると、内面図柄部１０ｃの黒目部分１０１ｃは孔部１１ｂの左端部に近づくように見える。すなわち、動物の絵が前方から左方を見るように変化しているように見える。
【００５３】
図１０では、正面板１１及び背面板１２は第２蓋部２２側の端部へ行くほど使用者の顔面に近づくように傾斜している。この時、内面図柄部１０ｃの黒目部分１０１ｃ、孔部１１ｂの右端部及び使用者の目は略一直線上に並ぶ。これにより、図６の状態から図１０の状態に正面板１１を傾けると、内面図柄部１０ｃの黒目部分１０１ｃは孔部１１ｂの右端部に近づくように見える。すなわち、動物の絵が前方から右方を見るように変化しているように見える。
【００５４】
これにより、安価な構成で使用者に対して多様な視覚的な変化を与えることができる。したがって、使用者の好奇心を刺激し、紙箱１に収容された内容物に対する購買意欲を高めることができるとともに紙箱１の製造コストを削減することができる。
【００５５】
図１１は、図６のＡ−Ａ断面図を示している。孔部１１ｂの内縁の直径Ｄ１は２３ｍｍに設定され、正面板１１と背面板１２と間の距離Ｄ２は１８ｍｍに設定されている。すなわち、直径Ｄ１は距離Ｄ２よりも大きくなっている。なお、内面図柄部１０ｃの黒目部分１０１ｃの最大の長さは５ｍｍに設定されている。
【００５６】
これにより、図７〜図１０に示すように紙箱１を傾倒させる際に、大きく傾けなくとも内面図柄部１０ｃの黒目部分１０１ｃが大きく移動しているように見える。なお、距離Ｄ２は１０ｍｍ〜５０ｍｍに設定されていると好ましい。また、孔部１１ｂが多角形や楕円形の場合には、内縁の最大距離を距離Ｄ２よりも大きくすればよい。
【００５７】
本実施形態によると、正面板１１が孔部１１ｂを開口するとともに、絵を含む図柄から成る外面図柄部１１ａを外面に有し、背面板１２の内面に外面図柄部１１ａにより表される図柄の一部を形成する内面図柄部１０ｃが孔部１１ｂに対向して設けられる。これにより、紙箱１の傾倒によって外面図柄部１１ａに対して内面図柄部１０ｃが移動して視覚的な変化を与えることができる。したがって、安価な構成で使用者の好奇心を刺激し、紙箱１に収納された内容物に対する購買意欲を高めることができる。
【００５８】
また、孔部１１ｂの内縁の直径Ｄ１が正面板１１と背面板１２との距離Ｄ２よりも大きい。これにより、紙箱１を大きく傾倒させなくとも、内面図柄部１０ｃの黒目部分１０１ｃが大きく移動しているように見える。
【００５９】
また、外面図柄部１１ａがグラビア印刷またはオフセット印刷により形成されるとともに、内面図柄部１０ｃがインクジェットにより形成される。これにより、異なる紙箱１に対して多様な内面図柄部１０ｃを容易に形成することができる。すなわち、紙箱毎に異なる様々な内面図柄部１０ｃを容易に形成することができる。なお、内面図柄部１０ｃをグラビア印刷やオフセット印刷により形成してもよい。
【００６０】
また、孔部１１ｂが外面図柄部１１ａにより表される動物（クマ）の目の輪郭を形成し、内面図柄部１０ｃがこの動物の目玉を表す。これにより、内容物が取り出された紙箱１を傾倒させると、動物の目が使用者を追っているように見える。したがって、使用者の好奇心を容易に刺激し、紙箱１に収容された内容物に対する購買意欲を容易に高めることができる。
【００６１】
また、胴部１０の正面板１１に設けた環状のミシン目１１ｃを有し、孔部１１ｂがミシン目１１ｃに沿って正面板１１を切り取って形成される。これにより、孔部１１ｂを容易に形成することができる。
【００６２】
なお、第１実施形態において、孔部１１ｂを背面板１２に開口して外面図柄部１１ａを背面板１２の外面に設けるとともに、正面板１１の内面に内面図柄部１０ｃを孔部１１ｂに対向して設けてもよい。
【００６３】
＜第２実施形態＞
次に、本発明の第２実施形態について説明する。図１２は本実施形態の紙箱１の正面図を示している。説明の便宜上、前述の図１〜図１１に示した第１実施形態と同様の部分には同一の符号を付している。本実施形態は紙箱１の包装袋７０に中間図柄部７０ａを設けている点で第１実施形態とは異なっている。その他の部分は第１実施形態と同様である。
【００６４】
中間図柄部７０ａは包装袋７０において孔部１１ｂに対向する領域に形成されている。本実施形態において、中間図柄部７０ａは、外面図柄部１１ａの動物（クマ）の目玉の絵から成っている。なお、中間図柄部７０ａは内面図柄部１０ｃとは異なる目玉の絵になっている。
【００６５】
上記構成の紙箱１において、ミシン目１１ｃ（図１参照）に沿って正面板１１を切り取ることによって孔部１１ｂが形成される。これにより、孔部１１ｂが外面図柄部１１ａにより表される動物の目の輪郭を形成し、外面図柄部１１ａと中間図柄部７０ａとによって動物の顔面の図柄が完成する。すなわち、外面図柄部１１ａと中間図柄部７０ａとが関連付けられて一の外観や観念を形成する図柄（動物の顔面の図柄）が完成する。なお、本実施形態では、図６の場合とは異なり、動物がウインクをしている絵になっている。
【００６６】
その後に、紙箱１の第１蓋部２１を開けて包装袋７０を取り出すと、図６に示すように孔部１１ｂは内面図柄部１０ｃに対向する。これにより、孔部１１ｂが外面図柄部１１ａにより表される動物の目の輪郭を形成し、外面図柄部１１ａと内面図柄部１０ｃとによって動物の顔面の図柄が完成する。ずなわち、動物がウィンクをしている状態からまっすぐ見つめている状態に変化する。そして、図７〜図１０に示すように、紙箱１を傾倒させると、動物が目で使用者を追っているように見える。
【００６７】
本実施形態によると、第１実施形態と同様な効果を得ることができる。また、内容物を密封する積層フィルムから成る包装袋７０を収納し、包装袋７０の外面に外面図柄部１１ａにより表される図柄の一部を形成して内面図柄部１０ｃと異なる中間図柄部７０ａが孔部１１ｂに対向して設けられる。
【００６８】
これにより、使用者に対してさらに多様な視覚的な変化を与えることができる。したがって、内容物に対する購買意欲を容易に高めることができる。
【００６９】
第１、第２実施形態において、孔部１１ｂを透明シートにより閉塞してもよい。これにより、ミシン目１１ｃで正面板１１の一部を切り取って孔部１１ｂを形成する手間を省くことができる。
【００７０】
第１、第２実施形態において、外面図柄部１１ａを風景の絵にするとともに、内面図柄部１０ｃを船舶や自動車等の乗り物の絵にしてもよい。これにより、図７〜図１０に示すように紙箱１を傾けると、船舶や自動車等が風景に対して移動しているように見える。
【００７１】
また、紙箱１の立体形状は、直方体に限定されず、例えば、六角注、八角柱や十二角柱などでもよい。
【産業上の利用可能性】
【００７２】
本発明は、内容物を収納する紙箱に利用可能である。
【符号の説明】
【００７３】
１        紙箱
１０      胴部
１０ａ    上部開口面
１０ｂ    下部開口面
１０ｃ    内面図柄部
１１      正面板
１１ａ    外面図柄部
１１ｂ    孔部
１１ｃ    ミシン目
１２      背面板
１３      右側面板
１４      左側面板
２１      第１蓋部
２２      第２蓋部
５１      第１折罫
５２      第２折罫
７０      包装袋
７０ａ    中間図柄部
【図１】
2015048106.tif 000003
【図２】
2015048106.tif 000004
【図３】
2015048106.tif 000005
【図４】
2015048106.tif 000006
【図５】
2015048106.tif 000007
【図６】
2015048106.tif 000008
【図７】
2015048106.tif 000009
【図８】
2015048106.tif 000010
【図９】
2015048106.tif 000011
【図１０】
2015048106.tif 000012
【図１１】
2015048106.tif 000013
【図１２】
2015048106.tif 000014